(57)【特許請求の範囲】
【請求項１】
複製システムであって、前記複製システムが印刷システムを含み、前記印刷システムは複合印刷操作モードを実行可能であり、前記印刷システムは通常印刷操作状態では前記複合印刷操作モードのサブセットを実行するように設定されている、複製システムと、
前記印刷システムに作動接続された印刷サービスプロバイダサーバと、
を備えるアラカルト方式の複製サービスを提供するシステムであって、
前記印刷システムは、ユーザの印刷操作モード選択を可能とするユーザインタフェースを含み、
前記印刷システムは、前記複合印刷操作モードのサブセットに含まれていない印刷操作モードをユーザが選択することに応答して、前記印刷サービスプロバイダサーバに通信して、前記ユーザが選択した印刷操作モードの実行許可を要求し、
前記印刷サービスプロバイダサーバは前記印刷システムに所定の情報を要求し、
前記印刷サービスプロバイダサーバは、前記印刷システムからの受信情報を処理、照合して、前記選択された印刷操作モードを実行するように前記印刷システムを設定する、システム。
【請求項２】
前記印刷システムは、前記印刷システムが前記印刷サービスプロバイダサーバと最初に通信するときには、前記複合印刷操作モードのサブセットを実行するように設定されており、前記設定は、前記印刷システムと、前記印刷サービスプロバイダサーバに係わる印刷サービスプロバイダとの間の所定の関係に基づいている、請求項１に記載のシステム。
【請求項３】
前記印刷システムは、前記印刷システムが製造されるときに、前記複合印刷操作モードのサブセットを実行するように設定されている、請求項１に記載のシステム。
【請求項４】
前記複合印刷操作モードの第１は白黒印刷であり、前記複合印刷操作モードの第２はカラー印刷であり、
前記印刷システムは通常操作状態では白黒印刷を行い、前記通常操作状態ではカラー印刷は実行しないように設定されている、請求項１に記載のシステム。
【請求項５】
前記複合印刷操作モードの第１は低解像度印刷であり、前記複合印刷操作モードの第２は高解像度印刷であり、
前記印刷システムは通常操作状態では低解像度印刷を行い、前記通常操作状態では高解像度印刷は実行しないように設定されている、請求項１に記載のシステム。
【請求項６】
前記複合印刷操作モードの第１は下書き品質印刷であり、前記複合印刷操作モードの第２は高品質印刷であり、
前記印刷システムは通常操作状態では下書き品質印刷を行い、前記通常操作状態では高品質印刷は実行しないように設定されている、請求項１に記載のシステム。
【請求項７】
前記複製システムはスキャンシステムを含み、前記スキャンシステムは複合スキャン操作モードを実行可能であり、前記スキャンシステムは、通常印刷操作状態では前記複合スキャン操作モードのサブセットを実行するように設定されている、請求項１に記載のシステム。
【請求項８】
前記複合スキャン操作モードの第１は、白黒スキャンであり、前記複合スキャン操作モードの第２は、カラースキャンであり、
前記スキャンシステムは通常操作状態では白黒スキャンを行い、前記通常操作状態ではカラースキャンは実行しないように設定されている、請求項７に記載のシステム。
【請求項９】
前記複合スキャン操作モードの第１は、低解像度スキャンであり、前記複合スキャン操作モードの第２は、高解像度スキャンであり、
前記スキャンシステムは通常操作状態では低解像度スキャンを行い、前記通常操作状態では高解像度スキャンは実行しないように設定されている、請求項７に記載のシステム。
【請求項１０】
前記複合スキャン操作モードの第３は光学式文字認識であり、
前記スキャンシステムは、通常操作状態では光学式文字認識を実行しないように設定されている、請求項７に記載のシステム。
【請求項１１】
前記複合スキャン操作モードの第３は複数送信先へのスキャンであり、
前記スキャンシステムは、通常操作状態では複数送信先へのスキャンを実行しないように設定されている、請求項７に記載のシステム。
【請求項１２】
前記複製システムは通常操作状態では複写が防止され、選択可能操作モードで複写可能となるように設定されている、請求項７に記載のシステム。
【請求項１３】
前記複製システムは通常操作状態ではジョブベースの課金が防止され、選択可能操作モードでジョブベースの課金が可能となるように設定されている、請求項１に記載のシステム。
【請求項１４】
前記所定の情報は前記ユーザからの支払情報を含む、請求項１に記載のシステム。
【請求項１５】
前記所定の情報は前記ユーザの認証情報を含む、請求項１に記載のシステム。
【請求項１６】
前記所定の情報は前記印刷システムの認証情報を含む、請求項１に記載のシステム。
【請求項１７】
前記印刷サービスプロバイダサーバは、前記複製システムを介して前記印刷システムに作動接続された請求項１に記載のシステム。
【請求項１８】
アラカルト方式の複製サービスを提供するための方法であって、
印刷システムを含み、前記印刷システムは複合印刷操作モードを実行可能である、複製システムを提供し、
通常印刷操作状態では前記複合印刷操作モードのサブセットを実行するように、前記印刷システムを設定し、
前記印刷システムに作動接続された印刷サービスプロバイダサーバを提供し、
前記印刷システムに係わるユーザインタフェースを介してユーザが印刷操作モード選択をすることを可能とする、
ことを含み、
前記印刷システムは、前記複合印刷操作モードのサブセットに含まれていない印刷操作モードを選択するユーザに応答して、前記印刷サービスプロバイダサーバに通信して、前記ユーザが選択した印刷操作モードの実行許可を要求し、
前記印刷サービスプロバイダサーバは前記印刷システムに所定の情報を要求し、
前記印刷サービスプロバイダサーバは、前記印刷システムからの受信情報を処理、照合して、前記選択された印刷モードを実行するように前記印刷システムを設定する、方法。
【請求項１９】
前記印刷システムは、前記印刷システムが前記印刷サービスプロバイダサーバと最初に通信するときには、前記複合印刷操作モードのサブセットを実行するように設定されており、前記設定は、前記印刷システムと前記印刷サービスプロバイダサーバに係わる印刷サービスプロバイダとの間の所定の関係に基づいている、請求項１８に記載の方法。
【請求項２０】
前記印刷システムは、前記印刷システムが製造されるときに、前記複合印刷操作モードのサブセットを実行するように設定されている、請求項１８に記載の方法。
【請求項２１】
前記複合印刷操作モードの第１は、白黒印刷であり、前記複合印刷操作モードの第２は、カラー印刷であり、
前記印刷システムは通常操作状態では白黒印刷を行い、前記通常操作状態ではカラー印刷は実行しないように設定されている、請求項１８に記載の方法。
【請求項２２】
前記複合印刷操作モードの第１は、低解像度印刷であり、前記複合印刷操作モードの第２は、高解像度印刷であり、
前記印刷システムは通常操作状態では低解像度印刷を行い、前記通常操作状態では高解像度印刷は実行しないように設定されている、請求項１８に記載の方法。
【請求項２３】
前記複合印刷操作モードの第１は下書き品質印刷であり、前記複合印刷操作モードの第２は高品質印刷であり、
前記印刷システムは通常操作状態では下書き品質印刷を行い、前記通常操作状態では高品質印刷は実行しないように設定されている、請求項１８に記載の方法。
【請求項２４】
前記複製システムはスキャンシステムを含み、前記スキャンシステムは複合スキャン操作モードを実行可能であり、前記スキャンシステムは、通常印刷操作状態では前記複合スキャン操作モードのサブセットを実行するように設定されている、請求項１８に記載の方法。
【請求項２５】
前記複合スキャン操作モードの第１は、白黒スキャンであり、前記複合スキャン操作モードの第２は、カラースキャンであり、
前記スキャンシステムは通常操作状態では白黒スキャンを行い、前記通常操作状態ではカラースキャンは実行しないように設定されている、請求項２４に記載の方法。
【請求項２６】
前記複合スキャン操作モードの第１は、低解像度スキャンであり、前記複合スキャン操作モードの第２は、高解像度スキャンであり、
前記スキャンシステムは通常操作状態では低解像度印刷を行い、前記通常操作状態では高解像度印刷は実行しないように設定されている、請求項２４に記載の方法。
【請求項２７】
前記複合スキャン操作モードの第３は光学式文字認識であり、
前記スキャンシステムは、通常操作状態では光学式文字認識を実行しないように設定されている、請求項２４に記載の方法。
【請求項２８】
前記複合スキャン操作モードの第３は複数送信先へのスキャンであり、
前記スキャンシステムは、通常操作状態では複数送信先へのスキャンを実行しないように設定されている、請求項２４に記載の方法。
【請求項２９】
前記複製システムは通常操作状態では複写が防止され、選択可能操作モードで複写可能となるように設定されている、請求項２４に記載の方法。
【請求項３０】
前記複製システムは通常操作状態ではジョブベースの課金が防止され、選択可能操作モードでジョブベースの課金が可能となるように設定されている、請求項１８に記載の方法。
【請求項３１】
前記所定の情報は前記ユーザからの支払情報を含む、請求項１８に記載の方法。
【請求項３２】
前記所定の情報は前記ユーザの認証情報を含む、請求項１８に記載の方法。
【請求項３３】
前記所定の情報は前記印刷システムの認証情報を含む、請求項１８に記載の方法。
【請求項３４】
前記印刷サービスプロバイダサーバは，前記複製システムを介して前記印刷システムに作動接続された請求項１８に記載の方法。
【請求項３５】
前記選択された印刷操作モードが完了すると、前記印刷システムは、前記通常印刷操作状態に対応する設定に戻る、請求項１に記載のシステム。
【請求項３６】
前記選択された印刷操作モードが完了すると、前記印刷システムは、前記通常印刷操作状態に対応する設定に戻る、請求項１８に記載の方法。
【発明の詳細な説明】
【技術分野】
【０００１】
アラカルト方式の複製サービスを提供するシステムと方法を提供する。
【背景技術】
【０００２】
従来のプリンタと複合装置（印刷装置）はネットワーク環境における一構成要素であることができる。これらの従来の印刷システムは広範囲の機能を提供することができる。多くの場合、印刷装置のユーザは備えられた機能のすべを使用する必要は殆どないか、稀である。
【０００３】
広範囲な機能の提供に加えて、従来のネットワーク型印刷装置には、組込み型プロセッサ、データ記憶のためのハードディスクドライブ、ネットワーク通信のためのウェブサーバ、および高機能管理ソフトウェアが含まれることがある。
【０００４】
従来のネットワーク型印刷装置がイントラネット（ローカルエリアネットワーク−ＬＡＮ）などのネットワークへ物理的に接続されると、印刷装置は、コンピュータ装置（ローカルワークステーションなど）で直接操作するか、または標準Ｗｅｂブラウザまたはローカルワークステーションやリモートワークステーション上にあるＷｅｂで使用可能な任意のアプリケーションによって操作することが可能である。
【０００５】
従来の管理ソフトウェアでは、アドミニストレータがＷｅｂブラウザから、またはＷｅｂで使用可能なアプリケーションによって従来のネットワーク型印刷装置を、モニタし、設定し、トラブルシュートすることができるようになっている。
【０００６】
そのような従来環境においては、購入後のユーザはトナー／インクカートリッジや印刷用紙の供給や入れ替えをすればよい。ただし、多くのユーザにとって、適切なトナー／インクカートリッジやプリンタに必要な用紙は容易に確認することができる。
【０００７】
上記のように、従来の印刷装置はユーザがあまり頻繁には必要としない広範囲の機能を提供することがしばしばある。それがユーザにとってオーバースペックの買い物となり、結果的にある機能は必要とすることがほとんどないまま保持することになる。
【０００８】
従来のプリンタでは、プリンタの問題点を知らせる「警告灯」を利用して、プリンタの状態に関するごくわずかの情報のみを提供する。例えば、従来のプリンタのあるものは、１つの信号灯の点灯により、そのプリンタで検出されたすべての問題を知らせ、また別のプリンタでは、複数の信号灯を使って問題が給紙経路に係わるものかインクに係わるものかを知らせる。
【０００９】
より新しいプリンタではＬＣＤディスプレイを利用して、より多量の情報を表示してプリンタユーザを支援する。ただし、ＬＣＤディスプレイの値段によってＬＣＤディスプレイの利用とサイズには限界がある。より具体的には、小さいＬＣＤディスプレイでは「Ｊ２エラー」というような暗号で示されるエラーメッセージが提供され、ユーザが問題点を理解するには別の情報源を見る必要がある。
【００１０】
そのような情報源の一つは、従来の印刷されたユーザマニュアルである。これらのマニュアルはプリンタ製造者と販売者の両者にとってコストの上昇を招く。さらに、プログラムで更新可能なプリンタの利用によって、プリンタのユーザマニュアル（ハードコピーであれ、電子的なものであれ）はすぐに古くなってしまう可能性がある。
【００１１】
さらには、インターネット、携帯電話やスマートフォン、無線ネットワークアクセスの出現により、人々はもはや机上のパーソナルコンピュータに縛られなくなっていることも注目に値する。これによって、人々が他の人と連携、通信するために、生成、保存、輸送しなければならない紙の文書を大幅に減少させてきた。
【００１２】
大部分の文書は、修正と共有が容易なためにその存在期間の大半は電子的な形式を取っている。電子文書は利点があるにもかかわらず、いくつかの業務では継続してハードコピーを選ぶ人もいる。
【００１３】
往々にしてこれらの人々は、電子文書のハードコピーを作る決断をしたときに自分のコンピュータネットワーク及び／又はプリンタから離れた場所に居て、待機状態のプリンタに囲まれた場所にいるにも拘わらずローカルプリンタへアクセスできなくてハードコピーを作成できないことがある。
【００１４】
従来の印刷装置の他の例は、米国特許第５，３０５，１９９号明細書、米国特許第５，７２０，０１５号明細書、米国特許第６，０２５，９２５号明細書、米国特許第６，６７４，５４５号明細書、米国特許第６，９６５，９３１号明細書、米国特許第７，１７７，０３４号明細書、米国特許第７，１９０，４７８号明細書、米国特許第７，９５７，０１９号明細書、および米国特許第８，１３０，３９６号明細書に開示されている。
【００１５】
米国特許第５，３０５，１９９号明細書、米国特許第５，７２０，０１５号明細書、米国特許第６，０２５，９２５号明細書、米国特許第６，６７４，５４５号明細書、米国特許第６，９６５，９３１号明細書、米国特許第７，１７７，０３４号明細書、米国特許第７，１９０，４７８号明細書、米国特許第７，９５７，０１９号明細書、および米国特許第８，１３０，３９６号明細書のすべての内容を参照により本明細書に援用する。
【００１６】
さらに、米国特許出願公開第２００２／００４８０３６（Ａ１）号明細書、米国特許出願公開第２００６／０１３６９９２（Ａ１）号明細書、米国特許出願公開第２０１０／０１０３８２４（Ａ１）号明細書、米国特許出願公開第２０１０／０２６８５９１（Ａ１）号明細書、米国特許出願公開第２０１２／００１３９３６（Ａ１）号明細書には従来の印刷装置の例が開示されている。
【００１７】
さらに、米国特許出願公開第２００２／００４８０３６（Ａ１）号明細書、米国特許出願公開第２００６／０１３６９９２（Ａ１）号明細書、米国特許出願公開第２０１０／０１０３８２４（Ａ１）号明細書、米国特許出願公開第２０１０／０２６８５９１（Ａ１）号明細書、米国特許出願公開第２０１２／００１３９３６（Ａ１）号明細書のすべての内容を参照により本明細書に援用する。
【発明の概要】
【発明が解決しようとする課題】
【００１８】
これらの様々な例では、開示された従来の印刷装置は前述の様々な問題点を持っている。
【００１９】
したがって、すべての機能を持っているが、ユーザは実際に利用した機能に対してのみ料金を支払えばよい、という印刷システムが提供されることが望ましい。
【００２０】
さらに、ユーザが任意選択でプリンタ関連情報を二次的な大画面ディスプレイ装置上に表示することのできる印刷システムが提供されることが望ましい。
【００２１】
その上、ユーザのイントラネットには係わらない周囲の待機状態のローカルプリンタをユーザが利用可能となる印刷システムが提供されることが望ましい。
【課題を解決するための手段】
【００２２】
アラカルト方式の複製サービスを提供するシステムと方法であり、印刷システムは複合印刷操作モードを実行可能であるが、通常印刷操作状態では複合印刷操作モードのサブセットを実行するように構成されている。印刷システムには、ユーザが印刷操作モードを選択できるユーザインタフェースが含まれている。ユーザが複合印刷操作モードのサブセットに含まれていない印刷操作モードを選択すると、印刷システムは印刷サービスプロバイダサーバに通信して、ユーザが選択した印刷操作モードの実行許可を要求する。印刷サービスプロバイダサーバは印刷システムに所定の情報を要求し、印刷システムから受信した情報を処理して照合すると、その選択された印刷操作モードを実行するように印刷システムを設定する。
【００２３】
システムと方法は、ローカルクライアント印刷システムを介して、第三者コンテンツをローカルクライアント印刷システムに提供し、コンテンツプロバイダサーバがローカルクライアント印刷システムに作動接続され、第三者コンテンツプロバイダサーバはコンテンツプロバイダサーバに作動接続される。コンテンツプロバイダサーバは、印刷可能なコンテンツをローカルクライアント印刷システムに提供し、この印刷可能なコンテンツはローカルクライアント印刷システムによって特定される。コンテンツプロバイダサーバは、第三者コンテンツプロバイダサーバから、ローカルクライアント印刷システムが特定する印刷可能コンテンツを取出す。ローカルクライアント印刷システムは、コンテンツプロバイダサーバから受信した印刷可能コンテンツを印刷する。
【００２４】
システムと方法は、プリンタプロバイダに係わるローカルクライアント印刷システムに関連してコンテンツを表示可能とすることができる。ユーザインタフェースを介して入力されたコマンドに応答して、ローカルクライアント印刷システムはリモートプリンタプロバイダサーバと通信し、ユーザインタフェースを介して入力されたコマンドに係わる表示可能なコンテンツを取出す。ローカルクライアント印刷システムはユーザインタフェースを介して入力されたコマンドに応答して、リモートプリンタプロバイダサーバと通信し、取出した表示可能なコンテンツを表示するためのディスプレイ装置を識別する。ディスプレイ装置はリモートプリンタプロバイダから取出した表示可能なコンテンツを受信し、その取出した表示可能なコンテンツを表示する。
【００２５】
システムと方法が、ディスプレイ装置上で閲覧されるビデオから、印刷装置で印刷するために高解像度を提供する。それは、コンテンツプロバイダからネットワークを介して受信されるビデオをディスプレイ装置上で閲覧し、ユーザインタフェースを介してディスプレイ装置上のビデオの表示を制御し、ユーザインタフェースを介して印刷のためにキャプチャ予定の閲覧中のビデオ内画像を選択し、ユーザの印刷用キャプチャ画像の選択に応答して選択されたビデオに対応する映像シーンの識別情報を生成し、その映像シーン識別情報をコンテンツプロバイダへ送信し、コンテンツプロバイダから映像シーン識別情報に対応する高解像度画像を受信し、受信した高解像度画像を印刷する、ことによって行われる。
【００２６】
システムと方法が、ネットワークに接続されたモバイル装置に印刷サービスを提供する。それは、モバイル装置に作動接続されたリモート印刷サービスプロバイダサーバを提供し、
リモート印刷サービスプロバイダサーバに作動接続されたローカルプリンタを提供し、モバイル装置はリモート印刷サービスプロバイダサーバへプリンタロケーション要求を送信し、リモート印刷サービスプロバイダサーバはモバイル装置の物理位置を判定し、リモート印刷サービスプロバイダサーバはどのローカルプリンタがモバイル装置の所定パラメータ内の物理位置にあるかを判定し、リモート印刷サービスプロバイダサーバはモバイル装置の物理位置に対するローカルプリンタの物理位置を識別する情報をモバイル装置へ送信し、モバイル装置はリモート印刷サービスプロバイダサーバによって識別されたローカルプリンタを選択し、選択されたローカルプリンタに対応する識別情報を含む印刷要求をリモート印刷サービスプロバイダサーバへ送信し、リモート印刷サービスプロバイダサーバは選択されたローカルプリンタへ印刷要求を送信し、選択されたローカルプリンタは印刷要求を処理する、ことによって行われる。
【図面の簡単な説明】
【００２７】
図面は様々な実施形態を例示するためのものであり、制限的なものとみなされるべきではない。
【００２８】
【図１】広範囲の機能を持ち、その機能のアラカルト方式での選択が可能なプリンタをユーザに提供するシステムの概略図である。
【図２】第三者コンテンツをローカルプリンタへ提供するシステムの概略図である。
【図３】ローカルプリンタに係わる情報を二次的ディスプレイ装置に提供するシステムの概略図である。
【図４】選択した低解像度ビデオ画像フレームをもとに、印刷用高解像度画像を提供するシステムの概略図である。
【図５】ユーザのイントラネットに係わらない周囲の待機中のローカルプリンタを利用して、ユーザに印刷アクセスを提供するシステムの概略図である。
【図６】広範囲の機能を持ち、その機能のアラカルト方式での選択が可能なプリンタをユーザに提供するプロセスの一例を示すフローチャートである。
【図７】第三者コンテンツをローカルプリンタへ提供するプロセスの一例を示すフローチャートである。
【図８】ローカルプリンタに係わる情報を二次的ディスプレイ装置に提供するプロセスの一例を示すフローチャートである。
【図９】ローカルプリンタに係わる情報を二次的ディスプレイ装置に提供するプロセスの別の一例を示すフローチャートである。
【図１０】ローカルプリンタに係わる情報を二次的ディスプレイ装置に提供するプロセスの別の一例を示すフローチャートである。
【図１１】ローカルプリンタに係わる情報を二次的ディスプレイ装置に提供するプロセスの別の一例を示すフローチャートである。
【図１２】ローカルプリンタに係わる情報を二次的ディスプレイ装置に提供するプロセスの別の一例を示すフローチャートである。
【図１３】選択されたビデオ画像に基づいて印刷用の高解像度画像を提供するプロセスの一例を示すフローチャートである。
【図１４】選択されたビデオ画像に基づいて印刷用の別のコンテンツを提供するプロセスの一例を示すフローチャートである。
【図１５】ユーザのイントラネットに係わらない周囲の待機中のローカルプリンタを利用して、ユーザに印刷へのアクセスを提供するプロセスの一例を示すフローチャートである。
【図１６】ユーザのイントラネットに係わらない周囲の待機中のローカルプリンタの個体特性に係わる表示情報の一例を示す図である。
【図１７】ユーザのイントラネットに係わらない周囲の待機中のローカルプリンタの個体特性に関する図形表示情報の一例を示す図である。
【発明を実施するための形態】
【００２９】
概要を理解するために図面を参照する。図面においては、同一または等価な要素は全体を通して同様な参照符号を用いた。図面はまた寸法通りではなく、ある部分は意図的に不均等に図示して、特徴および概念が適切に図示されるようにしたことに留意されたい。
【００３０】
以下で説明する様々な実施形態において、実施形態を特定のハードウェア、ファームウェア、及び／又はソフトウェアを識別して記述したが、機能、サービス、及び／又は特徴はクラウド環境においても実現し得るものである。
【００３１】
クラウド環境は、ネットワーク（典型的にはインターネット）を通したサービスとして配信されるコンピュータリソース（ハードウェアとソフトウェア）を利用する。例えば、クラウド環境においてユーザはアプリケーションソフト及び／又はデータベースを「借用」することができ、アプリケーションが動作し、データベースが保存されるインフラストラクチャとプラットフォームを「クラウド」プロバイダが管理する。
【００３２】
別の例では、エンドユーザはＷｅｂブラウザまたは軽量デスクトップまたはモバイルアプリケーションを介してクラウドベースのアプリケーションにアクセス可能であり、この時ソフトウェアとユーザデータはリモートロケーションにあるサーバ上に格納される。
【００３３】
前述したように、エンドユーザはフル機能のプリンタを所有することを望んだとしても、アラカルト方式モデルに基づいて特定の機能に対してのみ「料金を支払う」だけでよい。
【００３４】
図１に示すように、ユーザはプリンタ１０を賃借または「購入」することができ、これはフル機能を有するが、印刷サービスプロバイダ４５によってそのプリンタ１０の機能のサブセットのみを実行することが可能なように設定されている。
【００３５】
プリンタ１０はローカルプリンタとしてコンピュータ２０に接続する（波線）ことも、ネットワークプリンタとしてローカルエリアネットワーク（ＬＡＮ）すなわちイントラネット３０に接続することもできる。
【００３６】
ＬＡＮ３０はインターネット４０に接続され、これが印刷サービスプロバイダ４５への接続を行う。
【００３７】
図１のシステムは、エンドユーザのローカルプリンタを介した、エンドユーザ向けのアラカルト方式複製サービスを提供する。ローカルプリンタ１０はコンピュータ２０またはＬＡＮ３０にローカル接続されていてもよい。プリンタ１０は複合印刷操作モードを実行可能であり、ここでプリンタ１０は、通常印刷操作状態では複合印刷操作モードのサブセットを実行するように設定されている。
【００３８】
プリンタ１０には、ユーザが印刷操作モードを選択可能とするユーザインタフェース（図示せず）が含まれる。このユーザインタフェースは、プリンタ１０上にあってもよいし、コンピュータ２０内に設置されていてもよい。
【００３９】
組込まれているプリンタ１０は、すべての印刷操作モードが無効化されて製造されていてもよいことに留意されたい。こうして、プリンタ１０が組み込まれると、ネットワークコネクタを介して直接、またはプリンタ１０に接続されたコンピュータ２０を介して、プリンタ１０が印刷サービスプロバイダ４５と通信リンクを確立する。プリンタ１０及び／又はユーザの認証／許可の後、印刷サービスプロバイダ４５はプリンタ１０を設定して、プリンタ／ユーザと印刷サービスプロバイダ４５との関係に係わる適切な印刷操作モードが有効となるようにする。
【００４０】
プリンタ１０は製造段階で事前設定されていて、プリンタ／ユーザと印刷サービスプロバイダ４５との関係に係わる適切な印刷操作モードが有効となるようになっていてもよいことに、さらに留意されたい。
【００４１】
ユーザが複合印刷操作モードのサブセットに含まれていない印刷操作モードを選択すると、プリンタ１０は印刷サービスプロバイダ４５に通信して、ユーザが選択した印刷操作モードの実行許可を要求する。印刷サービスプロバイダ４５は、選択された印刷操作モードを実行するようにプリンタ１０を設定することができる。選択された印刷操作モードが完了すると、プリンタ１０は、通常印刷操作状態に対応する設定に戻る。
【００４２】
この再設定は自動的に実行されてもよいし、所定の時間が経過した後に実行されてもよいし、プリンタ１０と相互作用する印刷サービスプロバイダ４５によって行われてもよい。
【００４３】
印刷サービスプロバイダ４５は、ユーザからの認証情報を要求して、ユーザが選択された印刷操作モードの要求を許可されているかどうかを照合することもできる。
【００４４】
さらに、印刷サービスプロバイダ４５はユーザに値段情報を送り返して、値段情報に基づいて要求の照合をさせるようにすることができる。
【００４５】
プリンタ１０の通常印刷操作状態に対応する設定に関しては、プリンタ１０の設定が白黒印刷のみを可能とし、選択された印刷操作モードがカラー印刷に対応していてもよい。つまり、プリンタ１０は通常の操作状態では白黒印刷を行い、通常操作状態ではカラー印刷は実行しないように設定されている。
【００４６】
別の例では、プリンタ１０は通常の操作状態では下書き印刷を行い、通常操作状態では高品質印刷は実行しないように設定されている。
【００４７】
第３の例では、プリンタ１０は複合機であって、選択のオプションモードの一つは、スキャンである。スキャン機能はさらに、白黒スキャン、カラースキャン、及び／又は光学式文字認識スキャンに分けることができる。
【００４８】
様々な利用可能な操作モードとしては、カラー印刷、モノクロ印刷、カラースキャン、モノクロスキャン、低解像度スキャン、高解像度スキャン、カラー複写、モノクロ複写、低解像度複写、高解像度複写、ファックス、光学式文字認識スキャン、送信先へのスキャン、複数送信先へのスキャン、様々なプロトコルを用いたスキャン、クラウドまたはインターネットへのスキャン、ＳＭＢへのスキャン、ＨＴＴＰへのスキャン、ＵＳＢへのスキャン、及び／又はジョブベース課金などのような印刷サービスプロバイダによる付加価値機能またはソリューションなどがあることに留意されたい。
【００４９】
図６はアラカルト方式の複製サービスを提供する方法を示す。図６のステップＳ１０で示されているように、エンドユーザは印刷サービスプロバイダによって提供されたプリンタを組込む。ステップＳ２０で、印刷サービスプロバイダはエンドユーザとの関係に基づいてプリンタの機能を設定する。すなわち、プリンタの購入またはリースの契約条件によって、プリンタは全機能の内のサブセットを実行するように設定される。
【００５０】
ステップＳ３０において、エンドユーザが設定されていない機能を選択する。そしてステップＳ４０で印刷サービスプロバイダが非設定機能の選択に関してコンタクトされる。ステップＳ５０で印刷サービスプロバイダはプリンタを再設定して、選択された非設定機能を実行可能となるようにする。
【００５１】
この再設定は自動的に実行されてもよいし、所定の時間が経過した後に実行されてもよいし、プリンタと相互作用する印刷サービスプロバイダによって行われてもよいことに留意されたい。
【００５２】
ステップＳ６０において、印刷ジョブが終了すると印刷サービスプロバイダはプリンタが選択を実行することを無効化する。その後ステップＳ７０において、印刷サービスプロバイダは利用した機能に対してユーザに課金することができる。
【００５３】
印刷サービスプロバイダは、ユーザに認証情報を要求して、ユーザが選択した印刷操作モードの要求が許可されているかどうかを照合することもできる。
【００５４】
さらに、印刷サービスプロバイダはユーザに値段情報を送り返して、値段情報に基づいて要求を照合させるようにすることができる。
【００５５】
図２は第三者コンテンツをローカルプリンタへ提供するシステムの概略図である。図２に示すように、プリンタ１０はローカルプリンタとしてコンピュータ２０に接続する（波線）ことも、ネットワークプリンタとしてローカルエリアネットワーク（ＬＡＮ）すなわちイントラネット３０に接続することもできる。
【００５６】
ＬＡＮ３０はインターネット４０に接続され、これがコンテンツ印刷サービスプロバイダ５０への接続を提供する。コンテンツ印刷サービスプロバイダ５０は、インターネット４０を介して、広告主コンテンツプロバイダ６０、課金コンテンツプロバイダ７０、クレジットカードコンテンツプロバイダ８０、及び／又はニュースサービスコンテンツプロバイダ９０などのような様々なコンテンツプロバイダに接続されている。
【００５７】
コンテンツ印刷サービスプロバイダ５０は、インターネット４０を介して印刷可能コンテンツをローカルクライアントプリンタ１０へ提供する。印刷可能コンテンツはローカルクライアントプリンタ１０またはエンドユーザによって特定される。コンテンツ印刷サービスプロバイダ５０は第三者コンテンツプロバイダ（６０、７０、８０、及び／又は９０）から、ローカルクライアントプリンタ１０またはエンドユーザによって特定された印刷可能コンテンツを取出す。
【００５８】
コンテンツ印刷サービスプロバイダ５０は第三者コンテンツプロバイダ（６０、７０、８０、及び／又は９０）からのコンテンツを配信／統合することができることに留意されたい。すなわち、コンテンツ印刷サービスプロバイダ５０は、中央リポジトリあるいは中央ポータルとして作用して、様々な第三者コンテンツプロバイダ（６０、７０、８０、及び／又は９０）からあらゆるコンテンツを収集することができ、ローカルクライアントプリンタ１０またはエンドユーザは、ローカルクライアントプリンタ１０によって印刷するコンテンツを取出すのに個別の各第三者コンテンツプロバイダ（６０、７０、８０、及び／又は９０）と通信する必要がない。
【００５９】
ローカルクライアントプリンタ１０は、コンテンツプロバイダサーバ５０から受信した印刷可能コンテンツを印刷する。
【００６０】
コンテンツ印刷サービスプロバイダ５０は、コンテンツ印刷サービスプロバイダ５０がローカルクライアントプリンタ１０において特定のコンテンツすなわち広告を印刷させることと交換に、エンドユーザに対して割引値段でローカルクライアントプリンタ１０を提供することもあることに留意されたい。
【００６１】
エンドユーザはコンテンツ印刷サービスプロバイダ５０と契約して、公益事業会社からの請求書や、銀行及び／又はクレジットカードサービスの明細書、ニュース定期購読サービスからのニュース、などの第三者からの特定のコンテンツを取出すために、コンテンツ印刷サービスプロバイダ５０と契約することもできることにも留意されたい。
【００６２】
コンテンツ印刷サービスプロバイダ５０は、エンドユーザの要求に基づいて、これらの第三者プロバイダと関係を形成する。この関係には、コンテンツ印刷サービスプロバイダ５０がコンテンツ要求を許可する第三者へ何らかの形の認証を提供することを必要とする場合がある。この関係に基づき、エンドユーザはローカルクライアントプリンタ１０またはコンピュータ２０を介して、印刷可能コンテンツを求めてコンテンツ印刷サービスプロバイダ５０をポーリングすることができる。
【００６３】
さらに、エンドユーザはローカルクライアントプリンタ１０またはコンピュータ２０を介して、広告やクーポンなどの、印刷用に前以って確立されていない印刷可能コンテンツを求めて、コンテンツ印刷サービスプロバイダ５０をポーリングすることができる。
【００６４】
コンテンツサービスは、プリンタがオンのときはいつでも所定の定期ベースで、及び／又はエンドユーザが手動で要求した時に、提供されてもよいことに留意されたい。
【００６５】
また、コンテンツ印刷サービスプロバイダ５０は、印刷可能コンテンツをエンドユーザの保存のためにポータブルドキュメントフォーマットでローカルクライアントプリンタに提供できることにも留意されたい。
【００６６】
コンテンツ印刷サービスプロバイダ５０とローカルクライアントプリンタ１０またはコンピュータ２０との間の通信に関しては、様々な異なる方法で通信プロトコルが実現されてもよい。
【００６７】
例えば、ローカルクライアントプリンタ１０には、コンテンツ印刷サービスプロバイダ５０との間に、仮想私設網（ＶＰＮ）通信チャネルなどのセキュア通信チャネルを構成する機能が含まれていてもよい。そのような場合には、コンテンツ印刷サービスプロバイダ５０はローカルクライアントプリンタ１０と直接通信が可能であり、ローカルクライアントプリンタ１０はイントラネット外からの不許可の印刷要求にさらされることはない。
【００６８】
別の例では、コンピュータ２０は手動又は自動で、定期的にコンテンツ印刷サービスプロバイダ５０との間のセキュア通信チャネルを確立し、コンテンツ印刷サービスプロバイダ５０はローカルクライアントプリンタ１０で印刷するためにコンテンツをコンピュータ２０にダウンロードしてもよい。
【００６９】
さらなる例としては、コンピュータ２０は手動又は自動で、コンテンツ印刷サービスプロバイダ５０との間にセキュア通信チャネルを確立するアプリケーションを作動させて、エンドユーザに関する任意のコンテンツを求めてコンピュータ２０がコンテンツ印刷サービスプロバイダ５０をポーリングするようにしてもよい。
【００７０】
最後に、エンドユーザはＷｅｂブラウザを利用してコンテンツ印刷サービスプロバイダ５０との間のセキュア通信チャネルを確立し、エンドユーザに関する任意のコンテンツを求めてエンドユーザがコンテンツ印刷サービスプロバイダ５０をポーリングできるようにしてもよい。
【００７１】
図７は第三者コンテンツをローカルクライアント印刷システムに提供する方法を示している。図７に示すように、ステップＳ１１０において、エンドユーザはコンテンツ印刷サービスプロバイダにコンタクトして、ローカルプリンタで印刷するコンテンツを選択する。ステップＳ１２０において、コンテンツ印刷サービスプロバイダが、第三者からコンテンツを取出す許可をエンドユーザから取得し、ステップＳ１３０においてコンテンツ印刷サービスプロバイダが第三者からコンテンツを取出す。
【００７２】
任意選択によりステップＳ１３５において、コンテンツ印刷サービスプロバイダは取出したコンテンツを配信または統合することができる。すなわち、コンテンツ印刷サービスプロバイダは、中央リポジトリあるいは中央ポータルとして作用して、様々な第三者コンテンツプロバイダからすべてのコンテンツを収集し、ローカルクライアントプリンタまたはエンドユーザは、ローカルクライアントプリンタで印刷するコンテンツを取出すのに個別の各第三者コンテンツプロバイダと通信する必要がない。
【００７３】
ステップＳ１４０のように、コンテンツ印刷サービスプロバイダはエンドユーザ印刷装置の状態を判定して、コンテンツが適切に印刷可能であることを照合する。さらに、コンテンツ印刷サービスプロバイダは取出したコンテンツをエンドユーザのプリンタで適切に印刷できるように最適化することができる。
【００７４】
ステップＳ１５０において、コンテンツ印刷サービスプロバイダはコンテンツをエンドユーザの印刷装置に送信する。そして任意選択によりステップＳ１６０において、コンテンツ印刷サービスプロバイダはコンテンツを電子的に保存可能なフォーマットでエンドユーザに送信することができる。
【００７５】
コンテンツ印刷サービスプロバイダがエンドユーザの印刷装置にコンテンツを送信中であっても、エンドユーザの印刷装置とコンテンツ印刷サービスプロバイダはそれ以前に両者の間の通信リンクを確立済みであって、ファイアウォール問題に対処するためにエンドユーザの印刷装置が実際にコンテンツ印刷サービスプロバイダからコンテンツを引き出しているようになっている。例えば、エンドユーザの印刷装置またはエンドユーザの印刷装置に係わるコンピュータ装置がプロキシエージェントを利用してコンテンツ印刷サービスプロバイダと通信リンクを確立してもよい。ここで通信リンクはセキュア通信チャネルであっても非セキュア通信チャネルであってもよい。
【００７６】
ファイアウォールアーキテクチャを考慮して、ファイアウォール内の装置はコンテンツ印刷サービスプロバイダと（セキュアまたは非セキュアの）通信チャネルを確立する。
【００７７】
図３はローカルクライアント印刷システムに関連してコンテンツを表示可能とするためのシステムを示している。図３に示すように、プリンタ１０は、（ケーブルなどの）ローカルプリンタ通信チャネル３３を介してローカルプリンタとしてコンピュータ２０に接続（波線）されてもよいし、ローカルエリアネットワーク（ＬＡＮ）すなわちイントラネット３０を介してネットワークプリンタとして接続されてもよい。プリンタ１０はまた、表示可能情報を保存する記憶装置（表示せず）とユーザインタフェース（表示せず）と関連するディスプレイ（表示せず）を含んでもよい。
【００７８】
プリンタ１０はまた、プリンタ１０とＬＡＮ３０に接続された様々な装置（コンピュータ２０、タブレット２３、テレビ２７、及び／又はエンドユーザのモバイル装置２５）との間のイントラネット通信チャネル３１を提供するネットワーク通信装置（表示せず）と、補助無線通信が可能な装置（コンピュータ２０、タブレット２３、テレビ２７、及び／又はエンドユーザのモバイル装置２５）に対して低出力無線通信チャネル３７を提供する補助無線通信送受信機（表示せず）を含んでもよい。イントラネット通信チャネル３１は有線でも無線でもよく、一般的にファイアウォールの後ろのネットワークを指す。低出力無線通信チャネル３７は、例えばブルートゥース（登録商標）通信チャネルであってもよい。
【００７９】
すなわち、プリンタ１０は通常のネットワークプロトコルまたはブルートゥース（登録商標）通信プロトコルを介して、様々な装置（コンピュータ２０、タブレット２３、テレビ２７、及び／又はエンドユーザのモバイル装置２５）と通信することができる。
【００８０】
コンピュータ２０は関連するディスプレイ２１を持っていてもよい。ＬＡＮ３０はインターネット４０に接続されている。ＬＡＮ３０はまたテレビ２７、タブレット２３、及び／又はエンドユーザのモバイル装置２５に接続されていてもよい。エンドユーザのモバイル装置２５は、ラップトップ、携帯情報端末、携帯電話装置、あるいは通信チャネルから受信した情報を表示可能なその他のモバイル装置であってもよいことに留意されたい。
【００８１】
プリンタ１０は、ユーザインタフェースを介して入力されたコマンドに応答して、記憶装置から表示可能コンテンツを取出すことができる。プリンタ１０は、取出した表示可能コンテンツがプリンタ１０に係わるディスプレイ上に表示可能かどうかを判定することができる。ユーザはまた、取出した表示可能なコンテンツがプリンタ１０に係わるディスプレイ上で容易に閲覧可能かどうかを判定することもでき、そうでなければ取出した表示可能なコンテンツを表示のために補助ディスプレイ装置へ手動で割り当てることができるだけであることに留意されたい。
【００８２】
一例では表示可能なコンテンツは、プリンタ１０の故障状態の修復を支援するため、または部品の交換や補修をするためにユーザが必要とする情報であってもよい。そのような場合、情報は通常の小さなプリンタのディスプレイに簡単に表示できるもの以上の可能性もあるので、情報をより大きな装置で表示することが望ましい。
【００８３】
表示可能なコンテンツがプリンタ１０に係わるディスプレイ上で表示できないかまたは表示すべきである場合には、プリンタ１０は補助無線通信送受信機を介して取出した表示可能コンテンツを補助ディスプレイ装置へ送信する。
【００８４】
図３に示す例では補助ディスプレイ装置は、テレビ２７、タブレット２３、及び／又はエンドユーザのモバイル装置２５であってよい。エンドユーザのモバイル装置２５は、ラップトップ、携帯情報端末、携帯電話装置、あるいは通信チャネルから受信した情報を表示可能なその他のモバイル装置であってもよいことに留意されたい。
【００８５】
プリンタ１０はネットワーク通信装置を介して取出した表示可能コンテンツを補助ディスプレイ装置へ送信できることに留意されたい。
【００８６】
また、補助無線通信送受信機は前以って検出可能モードにされている検出可能な補助ディスプレイ装置を検出する機能を持っていてもよいことに留意されたい。検出された補助ディスプレイ装置はプリンタ１０に係わるディスプレイ上にリストアップすることができ、ユーザは表示可能コンテンツを受信する補助ディスプレイ装置を選択することができる。
【００８７】
さらに、ネットワーク通信装置は、イントラネット通信チャネル３１を介して、イントラネットに接続されている補助ディスプレイ装置に関する情報を提供できることにも留意されたい。補助ディスプレイ装置に接続されたイントラネットは、プリンタ１０に係わるディスプレイ上にリストアップすることができ、ユーザは表示可能コンテンツを受信する補助ディスプレイ装置に接続されたイントラネットを選択することができる。
【００８８】
プリンタ１０は、ユーザインタフェースを介して入力されたコマンドに応答して、リモート印刷サービスコンテンツプロバイダ５５から表示可能コンテンツを取出してもよい。このリモート印刷サービスコンテンツプロバイダはネットワーク通信装置を介して、インターネット４０経由でイントラネットへ接続されている。ユーザはまた、リモート印刷サービスコンテンツプロバイダ５５から直接送信された、この取出した表示可能コンテンツを、補助ディスプレイ装置（コンピュータ２０、タブレット２３、テレビ２７、及び／又はエンドユーザのモバイル装置２５）に送ってもよい。
【００８９】
すなわち、プリンタ１０を介してユーザはインターネット上にある所望の情報（テキスト、映像、音声、及び／又はこれらの組合せ）を取出し、この情報を、プリンタ１０に係わるディスプレイよりもより効果的な表示ができる装置で表示するようにさせる。
【００９０】
こうして、表示可能コンテンツを補助ディスプレイ装置に振り向けられるようにすることで、そのプリンタ１０に係わる小さいディスプレイを頼りとするのではなくて、コンテンツをより効果的に表示可能となる。
【００９１】
図８〜図１２は、ローカル印刷システムに関連してコンテンツを補助ディスプレイ装置で表示可能とするさまざまな方法を示している。
【００９２】
図８に示すように、ステップＳ２１０でローカルプリンタは故障の可視表示を生成する。ステップＳ２２０において、エンドユーザはその故障を解決するために必要なアクションを決定するために、ヘルプメニューを選択する。エンドユーザはステップＳ２３０において、補助ディスプレイ装置上へのヘルプ情報の表示を要求する。次にプリンタはステップＳ２４０において、ヘルプ情報をエンドユーザが選択した補助ディスプレイ装置に送信する。
【００９３】
図９に示すように、ステップＳ２２１０においてエンドユーザは、より詳細な情報がほしいヘルプメニュー項目を選択する。ステップＳ２２２０において、エンドユーザは、その選択に関するヘルプ情報を補助ディスプレイ装置上に表示させるように要求する。ステップＳ２２３０において、エンドユーザは、ヘルプ情報を表示させる補助ディスプレイ装置を選択する。次にプリンタはステップＳ２２４０において、ヘルプ情報をエンドユーザが選択した補助ディスプレイ装置に送信する。
【００９４】
図１０に示すように、ステップＳ２３１０においてエンドユーザは、より詳細な情報がほしいヘルプメニュー項目を選択する。ステップＳ２３２０において、エンドユーザは、その選択に関するヘルプ情報を補助ディスプレイ装置上に表示させるように要求する。ステップＳ２３３０においてエンドユーザは、ヘルプ情報を表示させる補助ディスプレイ装置を選択する。ステップＳ２３４０でプリンタは、そのプリンタが係わるウェブサイトからヘルプ情報を取出す。次にプリンタはステップＳ２３５０において、エンドユーザが選択した補助ディスプレイ装置にヘルプ情報を送信する。
【００９５】
図１１に示すように、ステップＳ２４１０においてエンドユーザは、より詳細な情報がほしいヘルプメニュー項目を選択する。ステップＳ２４２０において、エンドユーザは、その選択に関するヘルプ情報を補助ディスプレイ装置上に表示させるように要求する。ステップＳ２４３０において、エンドユーザは、ヘルプ情報を表示させる補助ディスプレイ装置を選択する。ステップ２４４０においてプリンタは、そのプリンタに係わるウェブサイトまたはプリンタプロバイダのコンテンツサーバへ、ヘルプ情報要求と第２の装置の識別情報を送信する。次にステップＳ２４５０において、ウェブサイトまたはプリンタプロバイダのコンテンツサーバはエンドユーザが選択した補助ディスプレイ装置にヘルプ情報を送信する。
【００９６】
図１２に示すように、ステップＳ２５１０でローカルプリンタは故障の可視表示を生成する。ステップＳ２５２０において、エンドユーザはその故障解決に必要なアクションを決定するために、ヘルプメニューを選択する。ステップＳ２５３０において、エンドユーザはそのプリンタに係わるウェブサイトまたはプリンタプロバイダのコンテンツサーバからのヘルプ情報を、補助ディスプレイ装置上に表示するように要求する。次にステップＳ２５４０において、ウェブサイトまたはプリンタプロバイダのコンテンツサーバが、エンドユーザが選択した補助ディスプレイ装置にヘルプ情報を送信する。
【００９７】
上記の様々な実施形態において、取出された表示可能コンテンツは、補助無線通信送受信機を介して、または（有線または無線の）イントラネット通信チャネルによって補助ディスプレイ装置へ送信される。取出した表示可能コンテンツは、プリンタ経由で、またはウェブサイトまたはプリンタプロバイダのコンテンツサーバから直接送信される。これによって、プリンタには非常に小さいディスプレイが付属して、所望の情報をユーザにより効果的に伝えるには補助ディスプレイ装置の表示機能を活用する、ということが可能となる。
【００９８】
従来のプリンタのディスプレイはサイズが小さく機能が制限されているために情報伝達の殆どはテキストに限られるのに対し、補助ディスプレイ装置を活用することで、ユーザへ伝達される情報は、例えば、テキスト、映像、音声、アニメーション、及び／又はこれらの組合せとすることができる。違う形態のメディアを利用すれば、伝達される情報の効果が増す。
【００９９】
一実施形態において、補助無線通信送受信機は、ブルートゥース（登録商標）送受信機のような、低出力無線通信装置であってよい。
【０１００】
図４は、閲覧されるビデオから超高解像度または最適化された印刷を提供するシステムを示している。図４に示すように、システムはプリンタ１０を含み、これは（ケーブルなどの）ローカルプリンタ通信チャネル３３を介してローカルプリンタとしてコンピュータ２０に接続（波線）されてもよいし、ローカルエリアネットワーク（ＬＡＮ）すなわちイントラネット３０を介してネットワークプリンタとして接続されてもよい。プリンタ１０はまた、表示可能情報を保存する記憶装置（表示せず）とユーザインタフェース（表示せず）と関連するディスプレイ（表示せず）を含んでもよい。プリンタ１０には、プリンタ１０とＬＡＮ３０に接続された様々な装置（コンピュータ２０、タブレット２３、テレビ２７、及び／又はエンドユーザのモバイル装置２５）との間にイントラネット通信チャネル３１を提供するネットワーク通信装置（図示せず）も含まれていてよい。
【０１０１】
コンピュータ２０は関連するディスプレイ２１とユーザインタフェース２２を持っていてもよい。ＬＡＮ３０はインターネット４０に接続されている。ＬＡＮ３０は、関連するユーザインタフェース２８とインターネット対応のＴＶコントローラ２３とを持つテレビ２７に接続されていてもよい。
【０１０２】
テレビ２７に関連するユーザインタフェース２８は、ユーザがテレビで閲覧しているビデオ画像を選択して印刷のためにキャプチャすることを可能とする。インターネット対応のＴＶコントローラ２３は、ユーザが印刷のためにキャプチャする画像を選択することに応答して、テレビ２７で現に表示中のビデオに関する映像シーン識別子（例えばフレームシーケンス番号）を、任意の従来のビデオフレームキャプチャ技術を利用して生成する。これらのビデオフレームキャプチャ技術は、ハードウェア、ソフトウェア、及び／又はそれらの組合せによって実現されてもよい。
【０１０３】
インターネット対応ＴＶコントローラ２３は、生成した映像シーン識別子（例えばキャプチャされたフレームのシーケンス番号）をコンテンツ印刷サービスプロバイダ５３へ送信する。コンテンツ印刷サービスプロバイダ５３は、映像シーン識別子（例えばフレームシーケンス番号）に応答して、所望のフレームの画像ファイルを取出す。画像ファイルが高精細でない場合には、コンテンツ印刷サービスプロバイダ５３はユーザにそのことを伝え、それでもそのフレームの印刷を希望するかどうかを確認する。
【０１０４】
コンテンツ印刷サービスプロバイダ５３は、その映像シーン識別子に係わる他のコンテンツやその映像シーン識別子に係わるプログラム／映画／ショーも取出し得ることに留意されたい。この追加または他のコンテンツは、他の高解像度コンテンツや、ハイライト写真、主要な瞬間のスチル写真、ボックススコアなどであってもよい。この追加または他のコンテンツには、舞台裏写真、隠しカメラ、キャスト／クルーからの書き込みコメント、その他の“メタ”コンテンツなどのような、閲覧したビデオに含まれていたものまたはそうでない他のコンテンツが含まれ得る。
【０１０５】
画像検索と印刷最適化技術は、ハードウェア、ソフトウェア、及び／又はそれらの組合せで実現されてもよいことに留意されたい。
【０１０６】
コンテンツ印刷サービスプロバイダ５３は次にインターネットを通してカラーの最適化画像ファイルを閲覧者のプリンタに送信する。またはその代わりに、閲覧者はその画像の印刷にどのプリンタの使用を希望するかを問われ、コンテンツ印刷サービスプロバイダ５３が最適化された画像ファイルをそのプリンタへ送ってもよい。
【０１０７】
さらに、コンピュータ２２に係わるユーザインタフェース２２は、ユーザがディスプレイ２１で閲覧中の画像を選択して印刷のためにキャプチャできるようにすることができる。ユーザが印刷のためにキャプチャする画像を選択することに応答して、コンピュータ２２は、従来技術を用いて、ディスプレイ２１上に表示中のビデオに係わる映像シーン識別子を生成する。これらのビデオ識別技術は、ハードウェア、ソフトウェア、及び／又はそれらの組合せによって実現されてもよい。
【０１０８】
コンピュータ２２はキャプチャしたフレームシーケンス番号をコンテンツ印刷サービスプロバイダ５３へ送信する。コンテンツ印刷サービスプロバイダ５３は、フレームシーケンス番号に応答して、所望フレームの画像ファイルを取出す。画像ファイルが高精細でない場合には、コンテンツ印刷サービスプロバイダ５３はユーザにそのことを伝え、それでもそのフレームの印刷を希望するかどうかを確認する。
【０１０９】
コンテンツ印刷サービスプロバイダ５３が所望の正しい画像ファイルを取出すと、コンテンツ印刷サービスプロバイダ５３はその画像を印刷最適化サーバへ送り、そこで画像ファイルが取り込まれて、色と分解能が閲覧者のプリンタに最適化される。印刷最適化サーバは閲覧者のプリンタ情報を利用して、画像ファイルをそのプリンタ用に最適化してもよい。
【０１１０】
画像検索と印刷最適化技術は、ハードウェア、ソフトウェア、及び／又はそれらの組合せで実現されてもよいことに留意されたい。
【０１１１】
コンテンツ印刷サービスプロバイダ５３は次にカラーの最適化画像ファイルをインターネットを通して閲覧者のプリンタに送信する。またはその代わりに、閲覧者がその画像の印刷にどのプリンタの使用を希望するかを問われ、コンテンツ印刷サービスプロバイダ５３が最適画像ファイルをそのプリンタへ送る。
【０１１２】
図１３は、ディスプレイ装置で閲覧されたビデオから超高解像度または最適化された印刷を提供するシステムを示している。図１３に示すように、ステップＳ３１０でビデオコンテンツが表示される。ステップＳ３２０で、エンドユーザはそのハードコピープリントをつくるビデオを選択する。ステップＳ３２０で、インターネット対応ＴＶコントローラまたはコンピュータ装置が、エンドユーザが選択するビデオに関する映像シーン識別子（例えばフレームシーケンス番号）を決定する。
【０１１３】
ステップＳ３４０で、コンテンツ印刷サービスプロバイダはその映像シーン識別子に係わる画像ファイルを取出す。ステップＳ３５０で、コンテンツ印刷サービスプロバイダは画像を印刷最適化サーバへ送信し、そこで画像ファイルが取り込まれて色と解像度が閲覧者のプリンタに対して最適化されてもよい。
【０１１４】
コンテンツ印刷サービスプロバイダは、その映像シーン識別子に係わる他のコンテンツやその映像シーン識別子に係わるプログラム／映画／ショーも取出すかもしれないことに留意されたい。この追加または他のコンテンツは、他の高解像度コンテンツや、ハイライト写真、主要な瞬間のスチル写真、ボックススコアであってもよい。この追加または他のコンテンツには、舞台裏写真、隠しカメラ、キャスト／クルーからの書き込みコメント、その他の“メタ”コンテンツなどのような、閲覧したビデオに含まれていたものまたはそうでない他のコンテンツが含まれ得る。
【０１１５】
ステップＳ３６０で、コンテンツ印刷サービスプロバイダが画像及び／又は他のコンテンツを印刷のためにユーザプリンタへ送信する。
【０１１６】
図１４は、ディスプレイ装置で閲覧されたビデオから超高解像度または最適化された印刷を提供するシステムを示している。図１４に示すように、ステップＳ３３１０でビデオコンテンツが表示される。ステップＳ３３２０で、エンドユーザはそのハードコピープリントをつくるビデオを選択する。ステップＳ３３２０で、インターネット対応ＴＶコントローラまたはコンピュータ装置が、エンドユーザが選択するビデオに関する映像シーン識別子（例えばフレームシーケンス番号）を決定する。
【０１１７】
ステップ３３４０において、コンテンツ印刷サービスプロバイダは、その映像シーン識別子に係わる他のコンテンツやその映像シーン識別子に係わるプログラム／映画／ショーを収集してもよい。この追加または他のコンテンツは、他の高解像度コンテンツや、ハイライト写真、主要な瞬間のスチル写真、ボックススコアなどであってもよい。この追加の、または他のコンテンツには、舞台裏写真、隠しカメラ、キャスト／クルーからの書き込みコメント、その他の“メタ”コンテンツなどのような、閲覧したビデオに含まれていたものまたはそうでない他のコンテンツが含まれ得る。
【０１１８】
ステップＳ３３５０で、エンドユーザは画像と共に配信すべき他のコンテンツの一部またはすべてを選択する。ステップＳ３３６０で、コンテンツ印刷サービスプロバイダが選択された他のコンテンツを印刷のためにユーザプリンタへ送信する。
【０１１９】
図５はモバイル装置に印刷サービスを提供するシステムを示している。図５に示すように、モバイル装置３０はインターネット４０に作動接続されている。リモート印刷サービスプロバイダ５７はインターネット４０を通してモバイル装置３０に作動接続されている。
【０１２０】
複数のローカルプリンタ（１００、１１０、１２０、１３０）がインターネット４０を通じてリモート印刷サービスプロバイダ５７に作動接続されている。
【０１２１】
モバイル装置３０は印刷要求をリモート印刷サービスプロバイダ５７へ送信してもよい。印刷サービスプロバイダ５７がモバイル装置３０の物理位置を判定し、どのローカルプリンタ（１００、１１０、１２０、１３０）がモバイル装置３０の所定のパラメータ内の物理位置にあるかを判定する。さらに、リモート印刷サービスプロバイダ５７は、判定された物理的にローカルなプリンタ（１００、１１０、１２０、１３０）のどれがモバイル装置３０からの印刷要求を実行可能かを判定してもよい。
【０１２２】
リモート印刷サービスプロバイダサーバ５７は、印刷要求を実行可能なローカルプリンタ（１００、１１０、１２０、１３０）を識別する情報と、モバイル装置３０の物理位置に対するローカルプリンタ（１００、１１０、１２０、１３０）の物理位置とをモバイル装置３０へ送信する。
【０１２３】
この情報は、図１６に示すようなテキスト形式でモバイル装置３０へ送られてもよい。この実施形態（図１６）では、ローカルプリンタをホストするロケーション名、ホストロケーションのアドレス、モバイル装置３０からホストロケーションまでの距離、に関する情報をモバイル装置３０は受信してもよい。
【０１２４】
この情報は、図１７に示すようなグラフィック地図形式でモバイル装置３０へ送られてもよい。この実施形態（図１７）では、モバイル装置３０は、モバイル装置３０のロケーション３５と利用可能なローカルプリンタをホストするロケーション３１、そして任意選択で利用不可のローカルプリンタをホストするロケーション３３とを図形によって識別する地図情報を受信してもよい。
【０１２５】
この地図情報は、ホストロケーション、コスト情報、及び／又はホストロケーションまでの距離に関するさらなる情報を提供する、ポップアップ情報で補足することができる。このポップアップ情報は、カーソルまたはポインティングディバイスでホストロケーションのアイコンをなぞることによって起動させることができる。
【０１２６】
モバイル装置３０はリモート印刷サービスプロバイダ５７によって識別されるローカルプリンタを選択し、リモート印刷サービスプロバイダ５７は選択されたローカルプリンタへ印刷要求を送信し、選択されたローカルプリンタは印刷要求を処理する。
【０１２７】
リモート印刷サービスプロバイダ５７が選択されたローカルプリンタへ印刷要求を送信中であっても、その選択されたローカルプリンタとリモート印刷サービスプロバイダ５７とはそれ以前に両者の間に通信リンクを確立済みであり、ファイアウォール問題に対処するためにローカルプリンタがリモート印刷サービスプロバイダ５７から印刷要求を実際に引き出しているようになっている。例えば、選択されたローカルプリンタまたは選択されたローカルプリンタに係わるコンピュータ装置が、プロキシエージェントを利用してリモート印刷サービスプロバイダと通信リンクを確立してもよい。ここで通信リンクはセキュア通信チャネルであっても非セキュア通信チャネルであってもよい。
【０１２８】
ファイアウォールアーキテクチャを考慮して、それぞれのファイアウォール内の選択された複数のローカルプリンタはリモート印刷サービスプロバイダ５７と（セキュアまたは非セキュアの）通信チャネルを確立する。
【０１２９】
リモート印刷サービスプロバイダサーバ５７は、すべてのローカルプリンタに対する印刷ドライバを含んでもよく、選択されたローカルプリンタへ印刷要求を送信する前に、選択されたローカルプリンタの印刷ドライバを利用して印刷要求を処理してもよいことに留意されたい。
【０１３０】
リモート印刷サービスプロバイダ５７によって送信される情報には、識別された各ローカルプリンタに対する値段情報が含まれていてもよいことに留意されたい。
【０１３１】
また、リモート印刷サービスプロバイダ５７は、判定されたどの物理的ローカルプリンタがモバイル装置３０からの印刷要求に対応する代理印刷要求を実行可能であるかを判定してもよいことにも留意されたい。例えば、元の印刷要求はカラー印刷要求であるとして、リモート印刷サービスプロバイダ５７が、判定されたどの物理的ローカルプリンタが例えば白黒印刷要求のような代理印刷要求を実行可能であるかを識別する情報を提供してもよい。
【０１３２】
モバイル装置３０は全地球測位衛星追跡システムを含み、この全地球測位衛星追跡システムは、モバイル装置３０の物理位置を識別するリモート印刷サービスプロバイダサーバ５７に情報を提供してもよい。
【０１３３】
他方、ユーザはリモート印刷サービスプロバイダ５７が使用するための位置情報を手動入力してもよい。
【０１３４】
別の実施形態では、モバイル装置３０はリモート印刷サービスプロバイダサーバ５７へプリンタロケーション要求を送信する。印刷サービスプロバイダ５７がモバイル装置３０の物理位置を判定し、どのローカルプリンタ（１００、１１０、１２０、１３０）がモバイル装置３０の所定のパラメータ内の物理位置にあるかを判定する。
【０１３５】
リモート印刷サービスプロバイダ５７は、モバイル装置３０の物理位置に対するローカルプリンタ（１００、１１０、１２０、１３０）の物理位置を識別する情報をモバイル装置３０へ送信する。モバイル装置３０は、リモート印刷サービスプロバイダ５７によって識別されたローカルプリンタを選択し、選択されたローカルプリンタに対応する識別情報を含む印刷要求をリモート印刷サービスプロバイダ５７へ送信する。
【０１３６】
リモート印刷サービスプロバイダ５７は、選択されたローカルプリンタへ印刷要求を送信し、選択されたローカルプリンタは印刷要求を処理する。
【０１３７】
図１５はネットワークに接続されたモバイル装置に印刷サービスを提供する方法を示す。図１５に示すように、ステップＳ４１０においてエンドユーザが共有プリンタを使用して印刷する文書を選択する。共有印刷サービスプロバイダは、ステップＳ４２０において、エンドユーザの位置を判定する。ステップＳ４３０において、共有印刷サービスプロバイダが、エンドユーザの物理位置の所定パラメータ内にあるローカルプリンタを判定し、ステップＳ４４０でこの情報をエンドユーザへ送信する。
【０１３８】
ステップＳ４５０において、エンドユーザはローカルプリンタを選択し、ステップＳ４６０において共有印刷サービスプロバイダが選択されたローカルプリンタへ印刷ジョブを送信する。
【０１３９】
上記のローカルプリンタの集団において、この集団は個人所有プリンタの自発的なネットワークであり、所有者がそのプリンタを公衆の利用に供している。共有印刷サービスプロバイダはインターネットを介してこれらのプリンタを結合している。共有印刷サービスプロバイダがユーザの文書ファイルを取込んで、ユーザが選択したプリンタ用の印刷ファイルを生成する。
【０１４０】
プリンタ所有者がローカルプリンタ集団の一員になることを選ぶと、所有者は共有印刷サービスプロバイダに加入して、共有印刷サービスプロバイダがプリンタにアクセスして制御できるようにする。所有者は自発的なプリンタネットワークに参加する意思を表明することができ、その所有者のプリンタ種別とロケーション、１枚当たりの値段、および運転時間を指定する。
【０１４１】
上記の状況において、顧客が共有プリンタ中のあるプリンタを使ってハードコピーを印刷するように要求する場合がある。顧客はまず印刷する文書の電子ファイルを識別する。顧客は、その共有印刷サービスプロバイダの加入契約者であってもなくてもよい。
【０１４２】
顧客は、インターネットと顧客の文書にアクセスできるいずれの場所に居てもよい。次に顧客は希望する任意の使用可能プリンタを選択する。ここで最も可能性の高いのは、恐らく顧客に最も近い位置にあるプリンタである。
【０１４３】
顧客はプルダウンリストからプリンタを選択してもよいし、所有者のモバイル装置によって与えられる全地球測位衛星座標に基づいて、プリンタが顧客に対して自動的に選択されてもよい。そうして顧客はこの情報を共有印刷サービスプロバイダへ送信する。
【０１４４】
共有印刷サービスプロバイダは、選択されたプリンタでその顧客用のハードコピーを作成することができる。ハードコピーを作成するために、共有印刷サービスプロバイダはソース文書ファイルフォーマットを識別し、必要があれば文書をもとのフォーマットからその選択されたプリンタに係わるコンピュータがサポートするフォーマットへ変換する。その後、共有印刷サービスプロバイダは選択されたプリンタへ印刷ファイルを送信し、そこから顧客はハードコピー文書を手に入れる。
【０１４５】
共有印刷サービスプロバイダはまた、顧客から文書の印刷コストを回収し、選択されたプリンタの所有者へ何らかの補償を提供する。
【０１４６】
さらに、共有印刷サービスプロバイダは、上記と同じ方式により、スキャン、複写、ファックスサービスを提供してもよい。これらの状況においては、ローカルプリンタは、印刷、複写、スキャン、及び／又はファックスが可能な複合装置であってもよい。または、ローカル装置がスタンドアロン型のスキャナ、スタンドアロン型の複写機、及び／又はスタンドアロン型のファックス装置であってもよい。
【０１４７】
要約すると、アラカルト方式の複製サービスを提供するシステムが、複製システムを含んでもよい。その複製システムには印刷システムが含まれ、印刷システムは複合印刷操作モードを実行可能であり、また通常印刷操作状態において印刷システムは複合印刷操作モードのサブセットを実行するように設定されている。また複製システムには、印刷システムに作動接続された印刷サービスプロバイダサーバも含まれている。印刷システムには、ユーザが印刷操作モードを選択できるユーザインタフェースが含まれている。ユーザが複合印刷操作モードのサブセットに含まれていない印刷操作モードを選択すると、印刷システムは印刷サービスプロバイダサーバに通信して、ユーザが選択した印刷操作モードの実行許可を要求する。この印刷サービスプロバイダサーバは印刷システムに所定の情報を要求する。印刷サービスプロバイダサーバは、印刷システムから受信した情報を処理、照合すると、選択された印刷操作モードを実行するように印刷システムを設定する。
【０１４８】
印刷システムは、印刷システムが印刷サービスプロバイダサーバと最初に通信するときには、複合印刷モードのサブセットを実行するように設定されていてもよく、この設定は、印刷システムと印刷サービスプロバイダサーバに係わる印刷サービスプロバイダとの間の所定の関係に基づいている。
【０１４９】
印刷システムは、印刷システムが製造されるときに複合印刷操作モードのサブセットを実行するように設定されてもよい。
【０１５０】
複合印刷操作モードの第１が白黒印刷で、複合印刷操作モードの第２がカラー印刷であって、印刷システムは通常操作状態で白黒印刷を実行し、通常操作状態ではカラー印刷は実行しないように構成されていてもよい。
【０１５１】
複合印刷操作モードの第１が白黒印刷で、複合印刷操作モードの第２がカラー印刷であって、印刷システムは通常操作状態で白黒印刷を実行し、通常操作状態ではカラー印刷は実行しないように構成されていてもよい。
【０１５２】
複合印刷操作モードの第１が下書き品質印刷で、複合印刷操作モードの第２が高品質印刷であって、印刷システムは通常操作状態で下書き品質印刷を実行し、通常操作状態では高品質印刷は実行しないように構成されていてもよい。
【０１５３】
リモート複製システムはスキャンシステムを含み、スキャンシステムは複合スキャン操作モードを実行可能であり、スキャンシステムは通常印刷操作状態では複合スキャン操作モードのサブセットを実行するように設定されていてもよい。
【０１５４】
複合スキャン操作モードの第１が白黒スキャンで、複合スキャン操作モードの第２がカラースキャンであって、印刷システムは通常操作状態で白黒スキャンを実行し、通常操作状態ではカラースキャンは実行しないように構成されていてもよい。
【０１５５】
複合スキャン操作モードの第１が低解像度スキャンで、複合スキャン操作モードの第２が高解像度スキャンであって、スキャンシステムは通常操作状態で低解像度スキャンを実行し、通常操作状態では高解像度スキャンは実行しないように構成されていてもよい。
【０１５６】
複合スキャン操作モードの第３は光学式文字認識であって、スキャンシステムは通常操作状態では光学式文字認識を実行しないように構成されていてもよい。
【０１５７】
複合スキャン操作モードの第３は、複数送信先へのスキャンであって、スキャンシステムは通常操作状態では複数送信先へのスキャンを実行しないように構成されていてもよい。
【０１５８】
リモート複製システムは、通常操作状態では複写ができないようになっていて、選択可能操作モードで複写を可能とするようになっていてもよい。
【０１５９】
リモート複製システムは通常操作状態ではジョブベースの課金を防止し、選択可能操作モードでジョブベースの課金を可能とするように設定されていてもよい。
【０１６０】
所定の情報には、ユーザからの支払情報、ユーザの認証情報、及び／又は印刷システムの認証情報が含まれてもよい。
【０１６１】
印刷サービスプロバイダサーバは、複製システムを介して印刷システムに作動接続されていてもよい。
【０１６２】
アラカルト方式の複製サービスを提供する方法が、複製システムを提供し、複製システムは印刷システムを含み、印刷システムは複合印刷操作モードを実行可能であり、また通常印刷操作状態では複合印刷操作モードのサブセットを実行するように印刷システムを設定し、その印刷システムに作動接続された印刷サービスプロバイダサーバを提供し、印刷システムに係わるユーザインタフェースを介して印刷操作モードをユーザが選択することを可能としてもよい。ユーザが複合印刷操作モードのサブセットに含まれていない印刷操作モードを選択すると、印刷システムは印刷サービスプロバイダサーバに通信してユーザが選択した印刷操作モードの実行許可を要求する。この印刷サービスプロバイダサーバは印刷システムに所定の情報を要求する。印刷サービスプロバイダサーバは、印刷システムから受信した情報を処理、照合すると、選択された印刷操作モードを実行するように印刷システムを設定する。
【０１６３】
ローカルクライアント印刷システムに第三者コンテンツを提供するシステムが、ローカルクライアント印刷システムと、ローカルクライアント印刷システムに作動接続されたコンテンツプロバイダサーバと、コンテンツプロバイダサーバに作動接続された第三者コンテンツプロバイダサーバ、とを含んでもよい。コンテンツプロバイダサーバは、ローカルクライアント印刷システムによって特定される印刷可能なコンテンツをローカルクライアント印刷システムに提供する。コンテンツプロバイダサーバは、第三者コンテンツプロバイダサーバから、ローカルクライアント印刷システムにより特定される印刷可能コンテンツを取出す。ローカルクライアント印刷システムは、コンテンツプロバイダサーバから受信した印刷可能コンテンツを印刷する。
【０１６４】
コンテンツプロバイダサーバは第三者コンテンツプロバイダサーバから取出したコンテンツを配信してもよい。
【０１６５】
ローカルクライアント印刷システムは、選択可能な印刷可能コンテンツを求めてコンテンツプロバイダサーバをポーリングし、ローカルクライアント印刷システムは印刷のために受信すべき印刷可能コンテンツを選択する。
【０１６６】
ローカルクライアント印刷システムは、選択可能な第三者コンテンツプロバイダを求めてコンテンツプロバイダサーバをポーリングし、
ローカルクライアント印刷システムは３者コンテンツプロバイダを選択し、第三者コンテンツプロバイダサーバからの印刷可能コンテンツの取得に際し選択された第三者コンテンツプロバイダがユーザ認証を必要とするかどうかをコンテンツプロバイダサーバが判定し、
第三者コンテンツプロバイダサーバからの印刷可能コンテンツの取得に際し選択された第三者コンテンツプロバイダがユーザ認証を要求する場合には、コンテンツプロバイダサーバは、ローカルクライアント印刷システムにユーザ認証情報を要求し、そのユーザ認証情報を第三者コンテンツプロバイダサーバへ提供して選択された印刷可能コンテンツの取得を可能とする、ようになっていてもよい。
【０１６７】
第三者コンテンツプロバイダは、ローカルクライアント印刷システムのユーザと料金請求の関係を有し、印刷可能コンテンツは毎月の請求書であってもよい。
【０１６８】
第三者コンテンツプロバイダサーバは、ローカルクライアント印刷システムの認証ユーザに係わる定期的印刷可能コンテンツをコンテンツプロバイダサーバへ自動的に提供し、コンテンツプロバイダサーバは定期的印刷可能コンテンツをローカルクライアント印刷システムへ提供してもよい。
【０１６９】
コンテンツプロバイダサーバは、ローカルクライアント印刷システムから適切なユーザ認証を受信すると、ローカルクライアント印刷システムに対して定期的印刷可能コンテンツを提供してもよい。
【０１７０】
コンテンツプロバイダサーバはローカルクライアント印刷システムに対して、定期的印刷可能コンテンツをローカルクライアント印刷システムに保存するためのプリンタ用表示可能フォーマットとローカルクライアント印刷システムで印刷するための印刷フォーマットで提供してもよい。
【０１７１】
第三者コンテンツプロバイダは、ローカルクライアント印刷システムのユーザと予約購読の関係を有し、印刷可能コンテンツは予約購読に基づくコンテンツであってもよい。
【０１７２】
第三者コンテンツプロバイダは、ローカルクライアント印刷システムのユーザと予約購読の関係を有し、印刷可能コンテンツは予約購読に基づくコンテンツであってもよい。
【０１７３】
コンテンツプロバイダサーバは、印刷のために非選択コンテンツをローカルクライアント印刷システムへ提供してもよい。
【０１７４】
コンテンツプロバイダサーバは、ローカルクライアント印刷システムとコンテンツプロバイダサーバに係わるコンテンツプロバイダとの間の所定の関係に基づいて、印刷のために非選択コンテンツをローカルクライアント印刷システムに提供してもよい。
【０１７５】
第三者コンテンツをローカルクライアント印刷システムに提供する方法が、ローカルクライアント印刷システムを提供し、ローカルクライアント印刷システムに接続されたコンテンツプロバイダサーバを提供し、コンテンツプロバイダサーバに作動接続された第三者コンテンツプロバイダサーバを提供し、ローカルクライアント印刷システムによって特定される印刷可能コンテンツをコンテンツプロバイダサーバからローカルクライアント印刷システムに提供する、ことを含んでもよい。コンテンツプロバイダサーバは、ローカルクライアント印刷システムにより特定される印刷可能コンテンツを第三者コンテンツプロバイダサーバから取出す。ローカルクライアント印刷システムは、コンテンツプロバイダサーバから受信した印刷可能コンテンツを印刷する。
【０１７６】
コンテンツをローカルクライアント印刷システムに関連して表示可能とするためのシステムが、ローカルクライアント印刷システムを含んでもよい。このローカルクライアント印刷システムは、印刷装置と、表示可能コンテンツを保存するための記憶装置と、ディスプレイを含むユーザインタフェースと、ローカルクライアント印刷システムとネットワーク通信チャネル上のネットワークとの間の通信を提供するネットワーク通信装置と、補助ディスプレイ装置への通信チャネルを提供する補助無線通信送受信機と、を含む。
【０１７７】
ローカルクライアント印刷システムは、ユーザインタフェースを介して入力されたコマンドに応答して、記憶装置から表示可能コンテンツを取出す。ローカルクライアント印刷システムは、取出した表示可能コンテンツがディスプレイ上に表示可能であるかどうかを判定する。ローカルクライアント印刷システムが取出した表示可能コンテンツをディスプレイ上に表示できないと判定した場合には、ローカルクライアント印刷システムは取出した表示可能コンテンツを補助無線通信送受信機を介して補助ディスプレイ装置へ送信する。
【０１７８】
補助無線通信送受信機は低出力無線通信チャネルを生成してもよい。
【０１７９】
ローカルクライアント印刷システムは、取出した表示可能コンテンツを補助ディスプレイ装置へ送信するようにユーザがユーザインタフェースを介して命令を出した場合、取出した表示可能コンテンツを補助無線通信送受信機を介して補助ディスプレイ装置へ送信してもよい。
【０１８０】
ローカルクライアント印刷システムはユーザインタフェースを介して入力されたコマンドに応答してネットワーク通信装置経由でリモートコンテンツプロバイダから表示可能コンテンツを取出し、ローカルクライアント印刷システムはリモートコンテンツプロバイダから取出した表示可能コンテンツがディスプレイ上に表示可能であるかどうかを判定し、ローカルクライアント印刷システムがリモートコンテンツプロバイダから取出した表示可能コンテンツがディスプレイ上に表示できないと判定された場合には、ローカルクライアント印刷システムはリモートコンテンツプロバイダから取出した表示可能コンテンツを補助無線通信送受信機経由で補助ディスプレイ装置へ送信するようになっていてもよい。
【０１８１】
ユーザが前記リモートコンテンツプロバイダから取出した表示可能コンテンツを補助ディスプレイ装置へ送信するようにユーザインタフェースを介して命令を出した場合、ローカルクライアント印刷システムはリモートコンテンツプロバイダから取出した表示可能コンテンツを補助無線通信送受信機経由で補助ディスプレイ装置へ送信してもよい。
【０１８２】
補助ディスプレイ装置は、ディスプレイ付きのエンドユーザのモバイル装置、ディスプレイ付きのモバイルコンピュータ装置、ディスプレイ付きのコンピュータ装置、及び／又はテレビであってもよい。
【０１８３】
ローカルクライアント印刷システムは、ネットワーク通信装置を介して取出した表示可能コンテンツを補助ディスプレイ装置へ送信してもよい。
【０１８４】
補助無線通信送受信機は、ローカルクライアント印刷システムを補助ディスプレイと補助無線通信機能とを有する別の装置により発見可能とさせる操作モードを含んでもよい。
【０１８５】
コンテンツをローカルクライアント印刷システムに関連して表示可能とするためのシステムが、ローカルクライアント印刷システムを含んでもよい。このローカルクライアント印刷システムは、印刷装置と、表示可能コンテンツを保存するための記憶装置と、ディスプレイを含むユーザインタフェースと、ローカルクライアント印刷システムとネットワーク通信チャネル上のネットワークとの間の通信を提供するネットワーク通信装置と、補助ディスプレイ装置への通信チャネルを提供する補助無線通信送受信機と、を含む。ローカルクライアント印刷システムは、ユーザインタフェースを介して入力されたコマンドに応答して記憶装置から表示可能コンテンツを取出す。ローカルクライアント印刷システムは、ユーザが取出した表示可能コンテンツを補助ディスプレイ装置へ送信するようにユーザインタフェースを介して命令を出した場合、取出した表示可能コンテンツを補助無線通信送受信機経由で補助ディスプレイ装置へ送信する。
【０１８６】
コンテンツをローカルクライアント印刷システムに関連して表示可能とするための方法であって、ローカルクライアント印刷システムは、印刷装置と、表示可能コンテンツを保存するための記憶装置と、ディスプレイを含むユーザインタフェースと、ローカルクライアント印刷システムとネットワーク通信チャネル上のネットワークとの間の通信を提供するネットワーク通信装置と、補助ディスプレイ装置への通信チャネルを提供する補助無線通信送受信機と、を含み、この方法は、ユーザインタフェースを介して入力されたコマンドに応答して記憶装置から表示可能コンテンツを取出し、取出した表示可能コンテンツがディスプレイ上に表示可能かどうかを判定し、取出した表示可能コンテンツがディスプレイ上に表示できないと判定された場合には、取出した表示可能コンテンツを補助無線通信送受信機経由で補助ディスプレイ装置へ送信してもよい。
【０１８７】
コンテンツをローカルクライアント印刷システムに関連して表示可能とするための方法であって、ローカルクライアント印刷システムは、印刷装置と、表示可能コンテンツを保存するための記憶装置と、ディスプレイ装置を含むユーザインタフェースと、ローカルクライアント印刷システムとネットワーク通信チャネル上のネットワークとの間の通信を提供するネットワーク通信装置と、補助ディスプレイ装置への通信チャネルを提供する補助無線通信送受信機と、を備え、この方法は、ユーザインタフェースを介して入力されたコマンドに応答して記憶装置から表示可能コンテンツを取出し、取出した表示可能コンテンツを補助ディスプレイ装置へ送信するようにユーザがユーザインタフェースを介して命令を出した場合、ローカルクライアント印刷システムは取出した表示可能コンテンツを補助無線通信送受信機経由で補助ディスプレイ装置へ送信する、ことを含む。
【０１８８】
ローカルクライアント印刷システムに関連してコンテンツを表示可能とするためのシステムが、印刷機プロバイダに関連するローカルクライアント印刷システムと、ローカルクライアント印刷システムに作動接続されたディスプレイ装置と、を備える。このローカルクライアント印刷システムは、印刷装置と、ディスプレイを含むユーザインタフェースと、ローカルクライアント印刷システムと印刷機プロバイダに関連するリモート印刷機プロバイダサーバとの間の通信を提供しかつローカルクライアント印刷システムとディスプレイ装置との間の通信を提供するネットワーク通信装置と、を備える。このローカルクライアント印刷システムは、ユーザインタフェースを介して入力されたコマンドに応答してリモート印刷機プロバイダサーバと通信し、ユーザインタフェースを介して入力されたコマンドに関係する表示可能なコンテンツを取出す。ローカルクライアント印刷システムはユーザインタフェースを介して入力されたコマンドに応答してリモート印刷機プロバイダサーバと通信し、取出した表示可能なコンテンツを表示するためのディスプレイ装置を識別する。ディスプレイ装置は取出した表示可能なコンテンツをリモートプリンタプロバイダから受信し、その取出した表示可能なコンテンツを表示する。
【０１８９】
プリンタプロバイダに係わるローカルクライアント印刷システムとディスプレイ装置とに関連してコンテンツを表示可能とする方法であって、ローカルクライアント印刷システムは、印刷装置と、ユーザインタフェースと、ユーザインタフェースと、ローカルクライアント印刷システムとプリンタプロバイダに係わるリモートプリンタプロバイダとの間の通信を提供しかつローカルクライアント印刷システムとディスプレイ装置との間の通信を提供するネットワーク通信装置とを含み、この方法が次のステップを含む。ローカルクライアント印刷システムがユーザインタフェースを介して入力されたコマンドに応答してリモートプリンタプロバイダサーバと通信してユーザインタフェースを介して入力されたコマンドに係わる表示可能なコンテンツを取出し、このローカルクライアント印刷システムはユーザインタフェースを介して入力されたコマンドに応答してリモート印刷機プロバイダサーバと通信し、取出した表示可能なコンテンツを表示するためのディスプレイ装置を識別し、ディスプレイ装置はリモートプリンタプロバイダサーバから取出した表示可能なコンテンツを受信してその取出した表示可能なコンテンツを表示する。
【０１９０】
閲覧したビデオから高解像度の印刷物を提供するシステムが、印刷装置と、その印刷装置に作動接続されたコンピュータ装置と、コンピュータ装置とネットワークに作動接続されてネットワークを通してコンテンツプロバイダから受信している閲覧中のビデオを表示するディスプレイシステムと、ディスプレイ装置に作動接続されてディスプレイ装置上のビデオの表示を制御するユーザインタフェースと、を備える。ユーザインタフェースは、ユーザが閲覧中のビデオ内の画像を選択して印刷のためにキャプチャすることを可能とする。コンピュータ装置は、ユーザが印刷のためにキャプチャするビデオを選択するのに応答して、選択されたビデオに対応する映像シーン識別情報を生成する。コンピュータ装置は映像シーン識別情報をコンテンツプロバイダへ送信する。印刷装置は、映像シーン識別情報に対応する高解像度画像をコンテンツプロバイダから受信する。印刷装置は、受信した高解像度画像を印刷する。
【０１９１】
コンテンツプロバイダは映像シーン識別情報に係わる、選択可能なその他のコンテンツを送信し、その他のコンテンツには、選択された閲覧ビデオには含まれないコンテンツや、選択された閲覧ビデオのメタコンテンツ、または選択された閲覧ビデオに係わるコンテンツが含まれる。
【０１９２】
コンピュータ装置は印刷装置の操作仕様に対応する情報を送信して、その印刷装置での印刷に最適化された、映像シーン識別情報に対応する高解像度画像を印刷装置が受信するようになっている。
【０１９３】
ディスプレイシステムはテレビであり、コンピュータ装置はインターネット対応のテレビコントローラである。ユーザインタフェースはリモートコントローラである。
【０１９４】
ディスプレイシステムとコンピュータ装置は、モバイルコンピュータシステムに結合されている。
【０１９５】
ディスプレイシステムとコンピュータ装置は、パーソナルコンピュータシステムに結合されている。
【０１９６】
システムディスプレイシステムとコンピュータ装置は、エンドユーザのモバイル装置に結合されている。
【０１９７】
コンピュータシステムは高解像度画像が得られないコンテンツプロバイダからの情報を受信し、ユーザインタフェースは印刷のための非高解像度画像をユーザが受諾または拒否することを可能とする。
【０１９８】
ディスプレイ装置上で閲覧されるビデオから印刷装置で印刷するために高解像度を提供するための方法が、コンテンツプロバイダからネットワークを介して受信されるビデオをディスプレイ装置上で閲覧し、ユーザインタフェースを考慮してディスプレイ装置上のビデオの表示を制御し、印刷のためにキャプチャする閲覧中のビデオ内の画像をユーザインタフェースを考慮して選択し、印刷のためにキャプチャする画像のユーザ選択に応答して選択されたビデオに対応する映像シーン識別情報を生成し、その映像シーン識別情報をコンテンツプロバイダへ送信し、映像シーン識別情報に対応する高解像度画像をコンテンツプロバイダから受信し、受信した高解像度画像を印刷する、ことを含む。
【０１９９】
モバイル装置に印刷サービスを提供するシステムが、モバイル装置と、モバイル装置に作動接続されたリモート印刷サービスプロバイダサーバと、リモート印刷サービスプロバイダサーバに作動接続されたローカルプリンタとを備える。モバイル装置はリモート印刷サービスプロバイダサーバへ印刷要求を送信する。リモート印刷サービスプロバイダサーバはモバイル装置の物理位置を判定する。リモート印刷サービスプロバイダサーバはどのローカルプリンタがモバイル装置の所定パラメータ内の物理位置にあるかを判定し、判定された物理的にローカルなプリンタのどれがモバイル装置からの印刷要求を実行可能であるかを判定する。リモート印刷サービスプロバイダサーバは、印刷要求を実行可能なローカルプリンタを識別する情報と、モバイル装置の物理位置に対するローカルプリンタの物理位置をモバイル装置へ送信する。
【０２００】
モバイル装置はリモート印刷サービスプロバイダサーバによって識別されたローカルプリンタを選択し、リモート印刷サービスプロバイダサーバは印刷要求を選択されたローカルプリンタへ送信し、選択されたローカルプリンタは印刷要求を処理する。
【０２０１】
リモート印刷サービスプロバイダサーバは、すべてのローカルプリンタに対する印刷ドライバを含み、選択されたローカルプリンタへ印刷要求を送信する前に、選択されたローカルプリンタの印刷ドライバを利用して印刷要求を処理する。
【０２０２】
リモート印刷サービスプロバイダサーバによって送信される情報には、識別された各ローカルプリンタに対する値段情報が含まれる。
【０２０３】
ローカルプリンタは第三者によって所有されている。
【０２０４】
リモート印刷サービスプロバイダサーバは、判定された物理的なローカルプリンタのどれがモバイル装置からの印刷要求に対応する代理印刷要求を実行可能であるかを判定する。
【０２０５】
印刷要求はカラー印刷に対応し、代理印刷要求は白黒印刷に対応する。
【０２０６】
モバイル装置は全地球測位衛星追跡システムを含み、この全地球測位衛星追跡システムは、モバイル装置の物理位置を識別する情報をリモート印刷サービスプロバイダサーバに提供する。
【０２０７】
リモート印刷サービスプロバイダサーバは、モバイル装置の所定パラメータ内の物理位置にあるローカルプリンタに対応する地図情報を提供する。
【０２０８】
このシステムは、それぞれがスキャン装置と印刷装置を含むローカル複製システムを備え、モバイル装置はリモート印刷サービスプロバイダサーバへスキャン要求を送信し、リモート印刷サービスプロバイダサーバはモバイル装置の物理位置を判定し、リモート印刷サービスプロバイダサーバはどのローカル複製システムがモバイル装置の所定パラメータ内の物理位置にあるかを判定し、判定された物理的にローカルな複製システムのどれがモバイル装置からのスキャン要求を実行可能であるかを判定し、リモート印刷サービスプロバイダサーバは、スキャン要求を実行可能なローカル複製システムを識別する情報およびモバイル装置の物理位置に対するローカル複製システムの物理位置をモバイル装置へ送信する。
【０２０９】
このシステムはローカルスキャン装置を備え、モバイル装置はリモート印刷サービスプロバイダサーバへスキャン要求を送信し、リモート印刷サービスプロバイダサーバはモバイル装置の物理位置を判定し、リモート印刷サービスプロバイダサーバはどのローカルスキャン装置がモバイル装置の所定パラメータ内の物理位置にあるかを判定し、判定された物理的にローカルなスキャン装置のどれがモバイル装置からのスキャン要求を実行可能か判定し、リモート印刷サービスプロバイダサーバはスキャン要求を実行可能なローカルスキャン装置を識別する情報およびモバイル装置の物理位置に対するローカルスキャン装置の物理位置をモバイル装置へ送信してもよい。
【０２１０】
このシステムは、それぞれがスキャン装置と印刷装置を含んだローカル複製システムを備え、モバイル装置はリモート印刷サービスプロバイダサーバへ複写要求を送信し、リモート印刷サービスプロバイダサーバはモバイル装置の物理位置を判定し、リモート印刷サービスプロバイダサーバはどのローカル複製システムがモバイル装置の所定パラメータ内の物理位置にあるかを判定し、判定された物理的にローカルな複製システムのどれがモバイル装置からの複写要求を実行可能であるかを判定し、リモート印刷サービスプロバイダサーバは複写要求を実行可能なローカル複製システムを識別する情報およびモバイル装置の物理位置に対するローカル複製システムの物理位置をモバイル装置へ送信してもよい。
【０２１１】
このシステムは、それぞれがスキャン装置と印刷装置を含むローカル複製システムを備え、モバイル装置はリモート印刷サービスプロバイダサーバへファックス要求を送信し、リモート印刷サービスプロバイダサーバはモバイル装置の物理位置を判定し、リモート印刷サービスプロバイダサーバはどのローカル複製システムがモバイル装置の所定パラメータ内の物理位置にあるかを判定し、判定された物理的にローカルな複製システムのどれがモバイル装置からのファックス要求を実行可能であるかを判定し、リモート印刷サービスプロバイダサーバはファックス要求を実行可能なローカル複製システムを識別する情報およびモバイル装置の物理位置に対するローカル複製システムの物理位置をモバイル装置へ送信するようになっていてもよい。
【０２１２】
このシステムはローカルファックス装置を備え、モバイル装置はリモート印刷サービスプロバイダサーバへファックス要求を送信し、リモート印刷サービスプロバイダサーバはモバイル装置の物理位置を判定し、リモート印刷サービスプロバイダサーバはどのローカルファックス装置がモバイル装置の所定パラメータ内の物理位置にあるかを判定し、判定された物理的にローカルなファックス装置のどれがモバイル装置からのファックス要求を実行可能であるかを判定し、リモート印刷サービスプロバイダサーバはファックス要求を実行可能なローカルファックス装置を識別する情報およびモバイル装置の物理位置に対するローカルファックス装置の物理位置を前記モバイル装置へ送信するようになっていてもよい。
【０２１３】
モバイル装置に印刷サービスを提供するシステムが、モバイル装置と、モバイル装置に作動接続されたリモート印刷サービスプロバイダサーバと、リモート印刷サービスプロバイダサーバに作動接続されたローカルプリンタと、を備えていてもよい。モバイル装置はリモート印刷サービスプロバイダサーバへプリンタロケーション要求を送信する。リモート印刷サービスプロバイダサーバはモバイル装置の物理位置を判定する。リモート印刷サービスプロバイダサーバは、どのローカルプリンタがモバイル装置の所定パラメータ内の物理位置にあるかを判定する。リモート印刷サービスプロバイダサーバは、モバイル装置の物理位置に対するローカルプリンタの物理位置を識別する情報をモバイル装置へ送信する。モバイル装置は、リモート印刷サービスプロバイダサーバによって識別されたローカルプリンタを選択し、選択されたローカルプリンタに対応する識別情報を含む印刷要求をリモート印刷サービスプロバイダサーバへ送信する。リモート印刷サービスプロバイダサーバは選択されたローカルプリンタへ印刷要求を送信し、選択されたローカルプリンタは印刷要求を処理する。
【０２１４】
ネットワークに接続されたモバイル装置に印刷サービスを提供する方法が、モバイル装置に作動接続されたリモート印刷サービスプロバイダサーバを提供し、リモート印刷サービスプロバイダサーバに作動接続されたローカルプリンタを提供し、モバイル装置からリモート印刷サービスプロバイダサーバへ印刷要求を送信し、リモート印刷サービスプロバイダサーバはモバイル装置の物理位置を判定し、リモート印刷サービスプロバイダサーバはどのローカルプリンタがモバイル装置の所定パラメータ内の物理位置にあるかを判定し、判定された物理的にローカルなプリンタのどれがモバイル装置からの印刷要求を実行可能であるかを判定し、リモート印刷サービスプロバイダサーバは印刷要求を実行可能なローカルプリンタを識別する情報およびモバイル装置の物理位置に対するローカルプリンタの物理位置をモバイル装置へ送信する、ことを含んでもよい。
【０２１５】
ネットワークに接続されたモバイル装置に印刷サービスを提供する方法が、モバイル装置に作動接続されたリモート印刷サービスプロバイダサーバを提供し、リモート印刷サービスプロバイダサーバに作動接続されたローカルプリンタを提供し、モバイル装置はリモート印刷サービスプロバイダサーバへプリンタロケーション要求を送信し、リモート印刷サービスプロバイダサーバはモバイル装置の物理位置を判定し、リモート印刷サービスプロバイダサーバはどのローカルプリンタがモバイル装置の所定パラメータ内の物理位置にあるかを判定し、リモート印刷サービスプロバイダサーバはモバイル装置の物理位置に対するローカルプリンタの物理位置を識別する情報を前記モバイル装置へ送信し、モバイル装置はリモート印刷サービスプロバイダサーバによって識別されたローカルプリンタを選択し、選択されたローカルプリンタに対応する識別情報を含む印刷要求をリモート印刷サービスプロバイダサーバへ送信し、リモート印刷サービスプロバイダサーバは選択されたローカルプリンタへ印刷要求を送信し、選択されたローカルプリンタは印刷要求を処理する、ことを含んでもよい。
【０２１６】
ネットワークに接続されたモバイル装置に印刷サービスを提供する方法が、リモート印刷サービスプロバイダサーバを提供し、リモート印刷サービスプロバイダサーバに作動接続されたローカルプリンタを提供し、各ローカルプリンタはローカルプリンタの物理位置に係わる情報をリモート印刷サービスプロバイダサーバへ提供し、各ローカルプリンタはローカルプリンタのどの機能がモバイル装置のエンドユーザに利用可能となっているかを識別する情報をリモート印刷サービスプロバイダサーバへ提供し、各ローカルプリンタは識別された機能をローカルプリンタがモバイル装置のエンドユーザにいつ提供可能であるかを識別する情報をリモート印刷サービスプロバイダサーバへ提供し、リモート印刷サービスプロバイダサーバはモバイル装置のエンドユーザにより利用可能であるローカルプリンタ群のネットワークを生成する、ことを含んでもよい。
【０２１７】
この方法は、各ローカルプリンタがリモート印刷サービスプロバイダサーバに識別された機能を利用するコストを特定する情報を提供することをさらに含んでもよい。
【０２１８】
ネットワークに接続されたモバイル装置に印刷サービスを提供するシステムが、リモート印刷サービスプロバイダサーバと、そのリモート印刷サービスプロバイダサーバに作動接続されたローカルプリンタと、を備えてもよい。各ローカルプリンタが、ローカルプリンタの物理位置に係わる情報をリモート印刷サービスプロバイダサーバへ提供する。各ローカルプリンタは、ローカルプリンタのどの機能がモバイル装置のエンドユーザに利用可能となっているかを識別する情報をリモート印刷サービスプロバイダサーバへ提供する。各ローカルプリンタは、ローカルプリンタが識別された機能をモバイル装置のエンドユーザにいつ提供可能であるかを識別する情報を、リモート印刷サービスプロバイダサーバへ提供する。リモート印刷サービスプロバイダサーバは、モバイル装置のエンドユーザが利用可能な、ローカルプリンタ群のネットワークを生成する。
【０２１９】
各ローカルプリンタは、識別された機能を利用するコストを特定する情報をリモート印刷サービスプロバイダサーバに提供する。
【０２２０】
上に開示した、またはそのほかの様々な特徴と機能あるいはそれらの代替物が、望ましくは結合されて多くの他の異なるシステムやアプリケーションになりうることを理解されたい。また、現時点で予期または予測できない代替や変形、変更、改良がこの後当業者によりなされ得るが、これらはすべて添付の特許請求の範囲に包含されることが意図されている。
【図１】
0006269681.tif 000002
【図２】
0006269681.tif 000003
【図３】
0006269681.tif 000004
【図４】
0006269681.tif 000005
【図５】
0006269681.tif 000006
【図６】
0006269681.tif 000007
【図７】
0006269681.tif 000008
【図８】
0006269681.tif 000009
【図９】
0006269681.tif 000010
【図１０】
0006269681.tif 000011
【図１１】
0006269681.tif 000012
【図１２】
0006269681.tif 000013
【図１３】
0006269681.tif 000014
【図１４】
0006269681.tif 000015
【図１５】
0006269681.tif 000016
【図１６】
0006269681.tif 000017
【図１７】
0006269681.tif 000018